(57)【要約】【課題】確実に物品をフックに掛けることができるとともに、フックが使用位置から収容位置まで旋回する時間が不必要に長くなることを防止できるハンガーフックを提供する。【解決手段】ハンガーフック１０は、ケーシング２０と、ケーシング２０に取り付けた基端部３１を中心として先端部３３が旋回可能であって、先端部３３がケーシング２０に対して突出する使用位置および先端部３３がケーシング２０に隣接する収容位置に変位するフック３０と、ケーシング２０とフック３０との間に位置して使用位置から収容位置へ向けてフック３０を付勢する付勢部材（バネ）４０とを有する。フック３０は、使用位置と収容位置との間に中間位置を有する。ケーシング２０とフック３０との間には、使用位置から中間位置までの第１旋回速度が、中間位置から収容位置までの第２旋回速度よりも遅くなるようにフック３０の旋回速度を制御する制動手段６０が位置する。【選択図】図３
2019076223.tif 000002
【特許請求の範囲】
【請求項１】
ケーシングと、前記ケーシングに取り付けた基端部を中心として先端部が旋回可能であって、前記先端部が前記ケーシングに対して突出する使用位置および前記先端部が前記ケーシングに隣接する収容位置に変位するフックと、前記ケーシングと前記フックとの間に位置して前記使用位置から前記収容位置へ向けて前記フックを付勢する付勢部材とを有するハンガーフックにおいて、
前記フックは、前記使用位置と前記収容位置との間に中間位置を有し、
前記ケーシングと前記フックとの間には、前記使用位置から前記中間位置までの第１旋回速度が、前記中間位置から前記収容位置までの第２旋回速度よりも遅くなるように前記フックの旋回速度を制御する制動手段が位置することを特徴とするハンガーフック。
【請求項２】
前記制動手段は、前記フックが前記使用位置から前記収容位置まで旋回する間において前記フックの旋回速度を遅くする第１制動手段と、前記フックが前記使用位置から前記中間位置まで旋回する間において前記フックの旋回速度を遅くする第２制動手段とによって構成されている請求項１に記載のハンガーフック。
【請求項３】
前記第１制動手段は、前記フックが前記使用位置から前記収容位置まで旋回する間において互いに噛み合う、第１ピニオンギアと、第１粘性ダンパーが有する第１ラックギアとを有し、
前記第２制動手段は、前記フックが前記使用位置から前記中間位置まで旋回する間において互いに噛み合う、第２ピニオンギアと、第２粘性ダンパーが有する第２ラックギアとを備える請求項２に記載のハンガーフック。
【請求項４】
前記フックにおける一対の両側部分のそれぞれには、前記第１ラックギアおよび前記第２ラックギアのいずれか一方を配置してあり、
前記フックの前記基端部は、前後方向における後方側へ開口した内部空間を有する中空状であり、
前記ケーシングは、幅方向において、互いに対向する外周壁部の中央に位置する中央壁部を有し、
前記中央壁部は、前記幅方向に貫通する貫通孔を有し、
前記第１粘性ダンパーは、前記幅方向に貫通する第１ネジ孔を有し、
前記第２粘性ダンパーは、前記幅方向に貫通する第２ネジ孔を有し、
前記第１粘性ダンパーおよび前記第２粘性ダンパーは、前記貫通孔を貫通して前記第１ネジ孔および前記第２ネジ孔に螺合したネジによって前記内部空間に位置するように前記ケーシングに取り付けてある請求項３に記載のハンガーフック。
【発明の詳細な説明】
【技術分野】
【０００１】
本発明は、ハンガーフックに関する。
【背景技術】
【０００２】
従来、ケーシングと、ケーシングに取り付けた基端部を中心として先端部が旋回可能であって、先端部がケーシングに対して突出する使用位置および先端部がケーシングに隣接する収容位置に変位するフックと、ケーシングとフックとの間に位置して使用位置から収容位置へ向けてフックを付勢する付勢部材（バネ）とを有するハンガーフックは公知である。例えば、引用文献１には、上記のようなケーシングと、フックと、付勢部材とを備えるハンガーフックが開示されている。また、このハンガーフックは、フックが、使用位置から収容位置まで移動する間、フックの旋回速度を遅くする粘性ダンパー（制動手段）を備えている。
【先行技術文献】
【特許文献】
【０００３】
【特許文献１】特開２０１６−７７３６４号公報（Ｐ２０１１−７７３６４Ａ）
【０００４】
特許文献１に開示のハンガーフックによれば、粘性ダンパーによってフックの旋回速度を遅くすることができるため、フックが収容位置へ移動するまでの間に、衣服を吊ったハンガーをフックに容易に掛けることができる。
【０００５】
しかしながら、このようなハンガーフックにおいて、確実にハンガーをフックに掛けられるようにするため、粘性ダンパーの粘性流体の抵抗を大きくすると、フックが使用位置から収容位置まで旋回する時間が不必要に長くなるおそれがある。
【発明の概要】
【発明が解決しようとする課題】
【０００６】
本発明は、従来の発明の改良であって、確実にハンガー等の物品をフックに掛けることができるとともに、フックが使用位置から収容位置まで旋回する時間が不必要に長くなることを防止できるハンガーフックの提供に関する。
【課題を解決するための手段】
【０００７】
本発明は、ケーシングと、前記ケーシングに取り付けた基端部を中心として先端部が旋回可能であって、前記先端部が前記ケーシングに対して突出する使用位置および前記先端部が前記ケーシングに隣接する収容位置に変位するフックと、前記ケーシングと前記フックとの間に位置して前記使用位置から前記収容位置へ向けて前記フックを付勢する付勢部材とを有するハンガーフックに関する。
【０００８】
本発明に係るハンガーフックの前記フックは、前記使用位置と前記収容位置との間に中間位置を有し、前記ケーシングと前記フックとの間には、前記使用位置から前記中間位置までの第１旋回速度が、前記中間位置から前記収容位置までの第２旋回速度よりも遅くなるように前記フックの旋回速度を制御する制動手段が位置することを特徴とする。
【０００９】
本発明に係るハンガーフックの実施態様の一つにおいて、前記制動手段は、前記フックが前記使用位置から前記収容位置まで旋回する間において前記フックの旋回速度を遅くする第１制動手段と、前記フックが前記使用位置から前記中間位置まで旋回する間において前記フックの旋回速度を遅くする第２制動手段とによって構成されている。
【００１０】
本発明に係るハンガーフックの他の実施態様の一つにおいて、前記第１制動手段は、前記フックが前記使用位置から前記収容位置まで旋回する間において互いに噛み合う、第１ピニオンギアと、第１粘性ダンパーが有する第１ラックギアとを有し、前記第２制動手段は、前記フックが前記使用位置から前記中間位置まで旋回する間において互いに噛み合う、第２ピニオンギアと、第２粘性ダンパーが有する第２ラックギアとを備える。
【００１１】
本発明に係るハンガーフックの他の実施態様の一つにおいて、前記フックにおける一対の両側部分のそれぞれには、前記第１ラックギアおよび前記第２ラックギアのいずれか一方を配置してあり、前記フックの前記基端部は、前後方向における後方側へ開口した内部空間を有する中空状であり、前記ケーシングは、幅方向において、互いに対向する外周壁部の中央に位置する中央壁部を有し、前記中央壁部は、前記幅方向に貫通する貫通孔を有し、前記第１粘性ダンパーは、前記幅方向に貫通する第１ネジ孔を有し、前記第２粘性ダンパーは、前記幅方向に貫通する第２ネジ孔を有し、前記第１粘性ダンパーおよび前記第２粘性ダンパーは、前記貫通孔を貫通して前記第１ネジ孔および前記第２ネジ孔に螺合したネジによって前記内部空間に位置するように前記ケーシングに取り付けてある。
【発明の効果】
【００１２】
本発明に係るハンガーフックによれば、ケーシングとフックとの間には、使用位置から中間位置までの第１旋回速度が、中間位置から収容位置までの第２旋回速度よりも遅くなるようにフックの旋回速度を制御する制動手段が位置する。これによって、フックが中間位置に移動するまでの間は、フックが比較的に遅い第１旋回速度で移動するため、物品を確実にフックに掛けることができる。しかも、フックが中間位置を越えて収容位置に移動するまでは、フックが比較的に速い第２旋回速度で移動するため、フックが使用位置から収容位置まで旋回する時間が不必要に長くなることもない。
【図面の簡単な説明】
【００１３】
図面は、本発明の特定の実施の形態を示し、発明の不可欠な構成ばかりでなく、選択的及び好ましい実施の形態を含む。
【図１】本発明に係るハンガーフックの斜視図。
【図２】図１のＩＩ−ＩＩ線に沿う断面図。
【図３】ハンガーフックの分解斜視図。
【図４】ケーシングの正面図。
【図５】ケーシングの背面図。
【図６】（ａ）フックの一方の側面図。（ｂ）フックが使用位置にあるときの一方の側部分を示す側面図。（ｃ）フックが中間位置にあるときの一方の側部分を示す側面図。（ｄ）フックが収容位置にあるときの一方の側部分を示す側面図。
【図７】（ａ）フックの他方の側面図。（ｂ）。フックが使用位置にあるときの他方の側部分を示す側面図。（ｃ）フックが中間位置にあるときの他方の側部分を示す側面図。（ｄ）フックが収容位置にあるときの他方の側部分を示す側面図。
【図８】図３のＶＩＩＩ−ＶＩＩＩ線に沿う断面図。
【発明を実施するための形態】
【００１４】
添付図面を参照し、この発明に係るハンガーフックの詳細を説明すると、以下のとおりである。また、以下の実施の形態は、本発明の不可欠な構成ばかりでなく、選択的及び好ましい構成を含む。
【００１５】
図１〜図３を参照すると、ハンガーフック１０は、互いに交差（直交）する幅方向Ｘ，上下方向Ｙ、及び前後方向Ｚを有し、上下方向Ｙにおいて対向する上端部１１及び下端部１２と、正面側に位置する前面１３及びその反対側である背面側に位置する後面１４と、ケーシング２０と、ケーシング２０に取り付けた基端部３１を中心として先端部３３が旋回可能であって、図１において仮想線で示してある先端部３３がケーシング２０から突出する使用位置、及び、図１において実線で示してある先端部３３がケーシング２０に隣接する収容位置に変位するフック３０と、ケーシング２０とフック３０の間に位置して使用位置から収容位置へ向けてフック３０を付勢する付勢部材（バネ）４０とを有している。
【００１６】
フック３０が使用位置に旋回している状態では、衣服を吊ったハンガーおよび袋等の物品をフック３０に掛けることが可能である一方、フック３０が収容位置に旋回している状態では、フック３０にハンガー等の物品を掛けることを規制しながら、フック３０の先端部３３がケーシング２０に隣接して、ケーシング２０に対する先端部３３の突出長さを短くすることが可能である。
【００１７】
ケーシング２０は、図３〜図５に示すように、前面１３側に位置する鍔部２１と、鍔部２１の内方に位置する前面側開口２２と、鍔部２１から後方側へ向けて延び、収容位置のフック３０の先端部３３の一部を収容する空間Ｓ１を画成する外周壁部２３と、後面１４側に位置して前面側開口２２の底部となる後壁部２４と、前後方向Ｚにおいて前面側開口２２と連通する後面側開口２５とを有する。
【００１８】
外周壁部２３において、幅方向Ｘにおいて対向する部分は、フック３０の回転軸５１ｘとなるピン５１を旋回可能に支持する軸受となる貫通孔２３ａと、ピン５３を支持する軸受となる貫通孔２３ｄと、貫通孔２３ａの周縁部２３ｂを有している。また、外周壁部２３は、後述する第１粘性ダンパー７０および第２粘性ダンパー８０をケーシング２０の中央壁部２６に取り付けるネジ５２を通すための貫通孔２３ｃを有している（図５参照）。
【００１９】
後壁部２４は、上下方向Ｙにおける中間部分２４ａに、後面１４側から前面１３側へ向けて突出する突出部２４ｂを有している。また、後壁部２４は、前後方向Ｚにおいて後壁部２４を貫通する第１貫通孔２４ｃと第２貫通孔２４ｄとを有している。第１貫通孔２４ｃの前方側には、緩衝材１８を配置してある。緩衝材１８には、使用位置から収容位置へ旋回するフック３０の先端部３３が当接する（図２参照）。
【００２０】
ケーシング２０は、前面側開口２２と後面側開口２５とが連通する部分の途中において、互いに対向する外周壁部２３の幅方向Ｘの中央に位置する中央壁部２６と、中央壁部２６から幅方向Ｘへそれぞれ延びる位置決めピン２７とを有している。中央壁部２６は、幅方向Ｘにおいて中央壁部２６を貫通する貫通孔２６ａを有している。
【００２１】
フック３０は、回転軸５１ｘとなるピン５１を挿入する貫通孔３１ａ，３１ｂを有する基端部３１と、回転軸５１ｘからピン５１の径外方向へ延びるアーム部３２と、アーム部３２の径外方向の先端に位置する先端部３３とを有している。先端部３３は、収容位置にある状態において、前後方向Ｚにおいて、前方側から後方側へ向けて突出するように形成してある。このため、使用位置にある状態では、突出している先端部３３によって、ハンガーや袋等の物品がフック３０から落下するのを防止することができる。フック３０の基端部３１は、後面１４側へ開口した内部空間Ｓ２を有する中空状であって、幅方向Ｘにおいて互いに対向した、一対の円盤状の両側部分３４ａ，３４ｂを有している。両側部分３４ａ，３４ｂは、円盤状の部分の中央に貫通孔３１ａ，３１ｂを有している。両側部分３４ａ，３４ｂの一方の側部分３４ａにおける周縁部は、例えば、４つの歯から構成される第１ピニオンギア３５を有する一方（図６参照）、他方の側部分３４ｂにおける周縁部は、例えば、２つの歯から構成される第２ピニオンギア３６を有する（図７参照）。
【００２２】
付勢部材４０は、コイル状の巻回部４１ａと、巻回部４１ａから延出する一対の延出部４２ａ，４２ｂとを有する。付勢部材４０は、基端部３１の内部空間Ｓ２において、巻回部４１ａの内周面とピン５１の外周面とが対向するように配置してある。
【００２３】
付勢部材４０の一方の延出部４２ａは、ピン５３に掛止してある一方、他方の延出部４２ｂは、幅方向Ｘにおいて、フック３０の両側部分３４ａ，３４ｂを連結する背面部３４ｃ（図３参照）に当接し、付勢部材４０は、使用位置にあるフック３０を収容位置へ向けて付勢している。
【００２４】
フック３０は、図６（ｂ）および図７（ｂ）に示す使用位置と、図６（ｄ）および図７（ｄ）に示す収容位置との間を、回転軸５１ｘを中心に旋回可能であるとともに、図６（ｂ）および図７（ｂ）に示すように、使用位置および収容位置の間に位置する中間位置を有している。ケーシング２０とフック３０との間には、フック３０が使用位置から収容位置まで旋回する間においてフック３０の旋回速度を遅くする第１制動手段６１（図６（ｂ）〜（ｄ）参照）と、フック３０が使用位置から中間位置まで旋回する間においてフック３０の旋回速度を遅くする第２制動手段６２（図７（ｂ）〜（ｄ）参照）とによって構成される制動手段６０が位置している。
【００２５】
第１制動手段６１は、図６（ａ）〜（ｄ）に示すように、フック３０の基端部３１の一方の側部分３４ａに位置する第１ピニオンギア３５と、第１粘性ダンパー７０が有する第１ラックギア７１とで構成してある。
【００２６】
第１ラックギア７１は、図６（ａ）に示すように、円盤状の側部分３４ａの周面の一部のみに配置してある。より具体的には、円盤状の側部分３４ａは、第１ラックギア７１が存在するギア存在域３７ａと、第１ラックギア７１が存在しない非存在域３７ｂとを有している。使用位置から収容位置へフック３０が移動する間にわたって、第１ピニオンギア３５と第１ラックギア７１とが噛み合っている。
【００２７】
第２制動手段６２は、図７（ａ）〜（ｄ）に示すように、フック３０の基端部３１の他方の側部分３４ｂに位置する第２ピニオンギア３６と、第２粘性ダンパー８０が有する第２ラックギア８１とで構成してある。
【００２８】
第２ラックギア８１は、図７（ａ）に示すように、円盤状の側部分３４ｂの周面の一部のみに配置してある。より具体的には、円盤状の側部分３４ｂは、第２ラックギア８１が存在するギア存在域３８ａと、第２ラックギア８１が存在しない非存在域３８ｂとを有している。使用位置から中間位置へフック３０が移動する間にわたって、第２ピニオンギア３６と第２ラックギア８１とが噛み合っているが、中間位置から収容位置へフック３０が移動する間にわたって、第２ピニオンギア３６と第２ラックギア８１とが噛み合っていない。
【００２９】
第１制動手段６１は、図６（ｂ）〜（ｄ）に示すように、フック３０が使用位置から収容位置まで旋回する間において、第１ピニオンギア３５と第１ラックギア７１とが互いに噛み合うものである。よって、フック３０は、第１制動手段６１によって、使用位置から収容位置までの旋回速度が遅くなる。
【００３０】
第２制動手段６２は、図７（ｂ）〜（ｄ）に示すように、フック３０が使用位置から中間位置まで旋回する間において、第２ピニオンギア３６と第２ラックギア８１とが互いに噛み合うものであり、フック３０が中間位置から収容位置まで旋回する間において、第２ピニオンギア３６と第２ラックギア８１とが噛み合わないものである。よって、フック３０は、第２制動手段６２によって、使用位置から中間位置までの旋回速度が遅くなる。
【００３１】
第１制動手段６１および第２制動手段６２の構成を有する制動手段６０は、使用位置から中間位置までの第１旋回速度が、中間位置から収容位置までの第２旋回速度よりも遅くなるようにフック３０の先端部３３の旋回速度を制御する。
【００３２】
回転軸５１ｘに対する第１ラックギア７１のギア存在域３７ａの角度［ｒａｄ］（回転軸５１ｘに対する第１ラックギア７１のギア存在域３７ａの周方向の長さ寸法に相当する角度）が、回転軸５１ｘに対する第２ラックギア８１のギア存在域３８ａの角度［ｒａｄ］（回転軸５１ｘに対する第２ラックギア８１のギア存在域３８ａの周方向の長さ寸法に相当する角度）よりも大きい。
【００３３】
第１粘性ダンパー７０は、図８に示すように、第１ダンパーケーシング７２と、第１ダンパーケーシング７２の開口を覆う第１キャップ７３と、第１ダンパーケーシング７２の内部を回転する第１回転体７４と、第１回転体７４に固定されて第１ダンパーケーシング７２の内部から外部に延出する第１軸部７５と、第１ダンパーケーシング７２の外部において第１軸部７５に固定された第１ピニオンギア３５と、第１キャップ７３により第１ダンパーケーシング７２の内部に封入された第１粘性流体７７とを有する。第１回転体７４と第１軸部７５と第１ピニオンギア３５は、第１ダンパーケーシング７２および第１キャップ７３に対して回転可能であるが、第１回転体７４と第１軸部７５と第１ピニオンギア３５とが、第１ダンパーケーシング７２および第１キャップ７３に対して回転すると、第１粘性流体７７によって第１ピニオンギア３５の回転速度が減少する。第１ダンパーケーシング７２は、第１軸部７５の径方向の外側において、第１ネジ孔７８と、径方向の外側から内側へ向けて凹む第１凹部７９とを有している。
【００３４】
第２粘性ダンパー８０は、第１粘性ダンパー７０と同様の構成をしており、図８に示すように、第２ダンパーケーシング８２と、第２ダンパーケーシング８２の開口を覆う第２キャップ８３と、第２ダンパーケーシング８２の内部を回転する第２回転体８４と、第２回転体８４に固定されて第２ダンパーケーシング８２の内部から外部に延出する第２軸部８５と、第２ダンパーケーシング８２の外部において第２軸部８５に固定された第２ピニオンギア３６と、第２キャップ８３により第２ダンパーケーシング８２の内部に封入された第２粘性流体８７とを有する。第２回転体８４と第２軸部８５と第２ピニオンギア３６は、第２ダンパーケーシング８２および第２キャップ８３に対して回転可能であるが、第２回転体８４と第２軸部８５と第２ピニオンギア３６とが、第２ダンパーケーシング８２および第２キャップ８３に対して回転すると、第２粘性流体８７によって第２ピニオンギア３６の回転速度が減少する。第２ダンパーケーシング８２は、第２軸部８５の径方向の外側において、第２ネジ孔８８と、径方向の外側から内側へ向けて凹む第２凹部８９とを有している。
【００３５】
第１ダンパーケーシング７２および第２ダンパーケーシング８２は、位置決めピン２７の周面に第１凹部７９および第２凹部８９が当接するように配置した後、第１ネジ孔７８（図３参照）、中央壁部２６の貫通孔２６ａ（図２参照）、および第２ネジ孔８８（図３参照）のそれぞれに、先端部を貫通させたネジ５２（図３参照）によって、ケーシング２０の中央壁部２６に取り付けてある。
【００３６】
取付具９０は、図３に示すように、取付板９１と、ボルト９２ａと、第１ネジ９２ｂおよび第２ネジ９２ｃと、第１ネジ９２ｂおよび第２ネジ９２ｃに螺合する第１ナット９３ａおよび第２ナット９３ｂならびにボルト９２ａに螺合する第３ナット９３ｃを後面１４側に固定したブラケット９４とを有する。取付板９１は、前後方向Ｚにおいて、固定壁部１６を介して鍔部２１の後面１４側に対向し、鍔部２１との間で壁部を挟持する、一対の第１挟持部９１ａおよび第２挟持部９１ｂと、第１挟持部９１ａおよび第２挟持部９１ｂの幅方向Ｘの内方の両端から後方側へ向けて延びる両側部９１ｃ，９１ｄと、両側部９１ｃ，９１ｄを連結する連結部９１ｅとを有している。連結部９１ｅは、第１ネジ９２ｂおよび第２ネジ９２ｃの先端が貫通する貫通孔９５ａ，９５ｂと、ボルト９２ａの先端が貫通する貫通孔９５ｃとを有している（図２参照）。
【００３７】
ハンガーフック１０を固定壁部１６に取り付ける場合、先ず、図２および図３に示す取付板９１の貫通孔９５ａ，９５ｂに、第１ネジ９２ｂおよび第２ネジ９２ｃの先端を貫通させ、第１ネジ９２ｂと第１ナット９３ａとを螺合させるとともに、第２ネジ９２ｃと第２ナット９３ｂとを螺合させて取付板９１にブラケットを取り付ける。
【００３８】
次に、固定壁部１６の取付孔１６ａに、ケーシング２０の外周壁部２３を挿入する。次いで、固定壁部１６の前方側において、ケーシング２０の鍔部２１に、固定壁部１６の取付孔１６ａの周縁部を押し付ける一方、固定壁部１６の後方側において、一対の第１挟持部９１ａおよび第２挟持部９１ｂを固定壁部１６の取付孔１６ａの周縁部に押し付けながら、ケーシング２０の第２貫通孔２４ｄに、ボルト９２ａの先端を入れ、ボルト９２ａと第３ナット９３ｃとを螺合させてケーシング２０および取付具９０を、固定壁部１６に取り付ける。
【００３９】
本実施形態のハンガーフック１０によれば、ケーシング２０とフック３０との間には、使用位置から中間位置までの第１旋回速度が、中間位置から収容位置までの第２旋回速度よりも遅くなるようにフック３０の先端部３３の旋回速度を制御する制動手段６０が位置する。これによって、フック３０の先端部３３が中間位置に移動するまでの間は、フック３０が比較的に遅い第１旋回速度で移動するため、ハンガー等の物品を確実にフック３０に掛けることができる。しかも、フック３０が中間位置を越えて収容位置に移動するまでは、フック３０が比較的に速い第２旋回速度で移動するため、フック３０が使用位置から収容位置まで旋回する時間が不必要に長くなることもない。一方、フックが使用位置から収容位置まで旋回する速度を遅くする粘性ダンパーを１つしか備えていないハンガーフックでは、ハンガー等の物品を確実にフックに掛けられるようにするには、粘性ダンパーの粘性抵抗を大きくする必要があるが、粘性ダンパーの粘性抵抗を大きくすると、フックが使用位置から収容位置まで旋回する時間が不必要に長くなるおそれがある。
【００４０】
制動手段６０は、フック３０が使用位置から収容位置まで旋回する間においてフック３０の先端部３３の旋回速度を遅くする第１制動手段６１と、フック３０が使用位置から中間位置まで旋回する間においてフック３０の先端部３３の旋回速度を遅くする第２制動手段６２とによって構成されている。
【００４１】
第１制動手段６１は、フック３０が使用位置から収容位置まで旋回する間において互いに噛み合う、第１ピニオンギア３５と、第１粘性ダンパー７０が有する第１ラックギア７１とを有し、第２制動手段６２は、フック３０が使用位置から中間位置まで旋回する間において互いに噛み合う、第２ピニオンギア３６と、第２粘性ダンパー８０が有する第２ラックギア８１とを備える。
【００４２】
フック３０における一対の両側部分３４ａ，３４ｂのそれぞれには、第１ラックギア７１および第２ラックギア８１のいずれか一方を配置してあり、フック３０の基端部３１は、前後方向Ｚにおける後方側へ開口した内部空間Ｓ２を有する中空状であり、ケーシング２０は、幅方向Ｘにおいて、互いに対向する外周壁部２３の中央に位置する中央壁部２６を有し、中央壁部２６は、幅方向Ｘに貫通する貫通孔２６ａを有し、第１粘性ダンパー７０は、幅方向Ｘに貫通する第１ネジ孔７８を有し、第２粘性ダンパー８０は、幅方向Ｘに貫通する第２ネジ孔８８を有し、第１粘性ダンパー７０および第２粘性ダンパ−８０は、貫通孔２６ａを貫通して第１ネジ孔７８および第２ネジ孔８８に螺合したネジ５２によって内部空間Ｓ２に位置するようにケーシング２０に取り付けてある。これによって、ケーシング２０の外周壁部２３によって画成される空間Ｓ１に制動手段６０を配置することができるため、ハンガーフック１０を小型化することができる。
【００４３】
なお、上記した実施形態には、フック３０が使用位置から収容位置まで旋回する間においてフック３０の旋回速度を遅くする第１制動手段６１と、フック３０が使用位置から中間位置まで旋回する間においてフック３０の旋回速度を遅くする第２制動手段６２とによって構成される制動手段６０を備えるハンガーフック１０を説明した。しかし、２つの粘性ダンパーで制動手段６０を構成するのに代えて、３つ以上の粘性ダンパーで制動手段６０を構成してもよい。また、フック３０が使用位置から中間位置まで旋回する間において、フックの３０の旋回速度を遅くする粘性ダンパーのみによって制動手段を構成してもよい。
【００４４】
本実施形態に係るハンガーフック１０を構成する各構成材料には、特に記述がなされている場合を除き、この種の分野において通常用いられている、各種の公知の材料を制限なく用いることができる。例えば、ケーシング２０は硬質の合成樹脂製又は金属製であってもよい。
【符号の説明】
【００４５】
１０    ハンガーフック
２０    ケーシング
２３    外周壁部
２６    中央壁部
２６ａ  貫通孔
３０    フック
３１    基端部
３３    先端部
３４ａ  一方の側部分
３４ｂ  他方の側部分
３５    第１ピニオンギア
３６    第２ピニオンギア
５２    ネジ
６０    制動手段
６１    第１制動手段
６２    第２制動手段
７０    第１粘性ダンパー
７１    第１ラックギア
７８    第１ネジ孔
８０    第２粘性ダンパー
８１    第２ラックギア
８８    第２ネジ孔
Ｓ１    空間
Ｓ２    内部空間
Ｘ      幅方向
Ｙ      上下方向
Ｚ      前後方向
【図１】
2019076223.tif 000003
【図２】
2019076223.tif 000004
【図３】
2019076223.tif 000005
【図４】
2019076223.tif 000006
【図５】
2019076223.tif 000007
【図６】
2019076223.tif 000008
【図７】
2019076223.tif 000009
【図８】
2019076223.tif 000010